(57)【要約】      （修正有）【課題】装置にエアフィルタが実装されておらず、且つ設置環境の塵埃が装置に悪影響を与える場合、エアフィルタの装着を容易な構造で実現すること。【解決手段】左右一対の取付けブラケットを有するラックと、該ラックに内在するように取付けられ、その側面に通気穴を有する装置本体１０と、それぞれ前記装置本体１０の側面に取付けられるとともに、その一端部が前記ラックの前記取付けブラケットに着脱自在に固定される一対のＬ形状取付け部材１２とを備えた電子装置において、前記各Ｌ形状取付け部材１２の装置本体取付け部にエアフィルタ２２を装着するためのスペース１８を設け、該スペース１８にエアフィルタ２２を着脱可能に取付けて構成する。【選択図】        図２
2005026266.tif 000002
【特許請求の範囲】
【請求項１】
左右一対の取付けブラケットを有するラックと、
該ラックに内在するように取付けられ、その側面に通気穴を有する装置本体と、
それぞれ前記装置本体の側面に取付けられるとともに、その一端部が前記ラックの前記取付けブラケットに着脱自在に固定される一対のＬ形状取付け部材とを備えた電子装置において、
前記各Ｌ形状取付け部材の装置本体取付け部にエアフィルタを装着するためのスペースを設け、
該スペースにエアフィルタを着脱可能に取付けたことを特徴とする電子装置。
【請求項２】
前記各Ｌ形状取付け部材は前記エアフィルタを案内するためのガイドを有しており、
前記エアフィルタは前記装置本体の裏面側から前記ガイドに摺動可能に案内されて、前記各Ｌ形状取付け部材に着脱自在に取付けられることを特徴とする請求項１記載の電子装置。
【請求項３】
左右一対の取付けブラケットを有するラックと、
該ラックに内在するように取付けられ、その側面に通気穴を有する装置本体と、
それぞれ前記装置本体の側面に取付けられるとともに、その一端部が前記ラックの前記取付けブラケットに着脱自在に固定される一対のＬ形状取付け部材とを備えた電子装置において、
前記一対のＬ形状取付け部材の内一方のＬ形状取付け部材の装置本体取付け部にエアフィルタを装着するためのスペースを設け、
該スペースにエアフィルタを着脱自在に取り付けるとともに、
他方の前記Ｌ形状取付け部材にファンを取付けたことを特徴とする電子装置。
【請求項４】
前記一方のＬ形状取付け部材に前記エアフィルタを案内するためのガイドを設け、
前記エアフィルタは前記装置本体の裏面側から前記ガイドに摺動可能に案内されて、前記一方のＬ形状取付け部材に着脱可能に取付けられることを特徴とする請求項３記載の電子装置。
【請求項５】
前記一方のＬ形状取付け部材と前記他方のＬ形状取付け部材を左右で交換して取付け、冷却空気の流れを反転可能であることを特徴とする請求項３又は４記載の電子装置。
【発明の詳細な説明】
【０００１】
【発明の属する技術分野】
本発明は一般的に電子装置に関し、特にエアフィルタが着脱可能に取付け可能な電子装置に関する。
【０００２】
【従来の技術】
昨今の通信装置等の電子装置は、標準規格化されたラック内の等ピッチで区分された領域に、機能毎にユニット化された装置を実装する方式が主流となっている。ラックに搭載される装置は、個別に冷却構造を有しているのが一般的であるが、必ずしも搭載環境に合致した冷却構造とはなっていない。
【０００３】
これはラックの規格が搭載ピッチ、搭載幅等を限定した部分のみ規格化しているため、奥行き方向の領域、ラック内の構造体形状、扉の有無、ラックの扉、天井及び底部の開口等がラック製造メーカーによって多岐に渡るので、装置設計メーカーは、搭載ラックを限定しない限り最適な冷却構造を設計することは困難であるからである。
【０００４】
また、顧客先では異なった冷却構造を有する他の装置との混載が当然可能性としてあるため、冷却構造の設計を一層困難としている。
【０００５】
さらに、ラック設置環境も不確定であり、装置製造メーカーが環境温度及び湿度を指定することはあるが、塵埃環境まで想定することはないため、エアフィルタを装備している電子装置は非常に少ない。
【０００６】
ラックに搭載された従来の一般的な通信装置等の電子装置では、装置背面側に装置内部冷却用のファンが実装されており、通気孔が装置の側面に設けられている。装置側面には一対のＬ形状ラック取付け用部品が固定され、この装置はＬ形状ラック取付け用部品によってラックに固定される。
【０００７】
Ｌ形状ラック取付け用部品では、装置側面の通気孔を塞がないように開口部が設けられている。従来の電子装置では、装置側面の通気孔、Ｌ形状ラック取付け用部品の開口部ともエアフィルタ等が実装されていないものが多い。
【０００８】
【発明が解決しようとする課題】
装置のラックへの搭載を可能とするＬ形状ラック取付け用部品を有する電子装置において、装置にエアフィルタが実装されていず、且つ設置環境の塵埃が装置に悪影響を与える場合、装置内への塵埃進入を防ぐ手段としては、ラック搭載状態でまずラックを密閉し、吸入口（通気孔）を限定し、且つ全ての吸入口にフィルタを装着しなければならない。
【０００９】
しかし、ラックを密閉することはラック内の温度上昇につながり、ラック内の該装置以外の搭載装置に悪影響を与える恐れがある。しかも、ラックが改造を可能とする構造を有している必要がある。
【００１０】
予め想定する環境温度以上の場所に装置が設置された場合、冷却ファンを高能力のファンに交換できれば問題ないが、交換を容易にできる構造となっていないため、外部温度を下げる他手段がないという問題がある。
【００１１】
本発明はこのような点に鑑みてなされたものであり、その目的とするところは、ラックに搭載されたエアフィルタを有さない装置で実装環境が想定した環境に合わない場合、ラック取付け用部品にエアフィルタ又はファンを取付け可能にした電子装置を提供することである。
【００１２】
【課題を解決するための手段】
本発明の一側面によると、左右一対の取付けブラケットを有するラックと、該ラックに内在するように取付けられ、その側面に通気穴を有する装置本体と、それぞれ前記装置本体の側面に取付けられるとともに、その一端部が前記ラックの前記取付けブラケットに着脱自在に固定される一対のＬ形状取付け部材とを備えた電子装置において、前記各Ｌ形状取付け部材の装置本体取付け部にエアフィルタを装着するためのスペースを設け、該スペースにエアフィルタを着脱可能に取付けたことを特徴とする電子装置が提供される。
【００１３】
好ましくは、各Ｌ形状取付け部材はエアフィルタを案内するためのガイドを有しており、エアフィルタは装置本体の裏面側からガイドに摺動可能に案内されて、各Ｌ形状取付け部材に着脱可能に取付けられる。
【００１４】
好ましくは、電子装置はエアフィルタが着脱可能に装着されるフィルタケースをさらに備えている。そして、エアフィルタが装着されたフィルタケースが装置本体の裏面側からガイドに摺動可能に案内されて、各Ｌ形状取付け部材に着脱自在に取付けられる。
【００１５】
本発明の他の側面によると、左右一対の取付けブラケットを有するラックと、該ラックに内在するように取付けられ、その側面に通気穴を有する装置本体と、それぞれ前記装置本体の側面に取付けられるとともに、その一端部が前記ラックの前記取付けブラケットに着脱自在に固定される一対のＬ形状取付け部材とを備えた電子装置において、前記一対のＬ形状取付け部材の内一方のＬ形状取付け部材の装置本体取付け部にエアフィルタを装着するためのスペースを設け、該スペースにエアフィルタを着脱自在に取り付けるとともに、他方の前記Ｌ形状取付け部材にファンを取付けたことを特徴とする電子装置が提供される。
【００１６】
好ましくは、一方のＬ形状取付け部材と他方のＬ形状取付け部材は左右で交換して取付けることができ、これにより冷却空気の流れを反転可能である。
【００１７】
【発明の実施の形態】
図１は本発明第１実施形態の電子装置２の全体斜視図を示している。電子装置２はラック４と、このラック４に搭載された装置本体１０とから構成される。
【００１８】
ラック４は左右一対の取付け用ブラケット６を有している。各取付け用ブラケット６は複数の取付け穴８を有している。装置本体１０が、一対のＬ形状ラック取付け用部品１２によりラック４に取付けられる。
【００１９】
装置本体１０にはその背面側に冷却ファン１１が実装されており、両側面には複数の通気穴２８が形成されている（図５参照）。図２（Ａ）を参照すると、各Ｌ形状ラック取付け用部品１２は装置本体１０の通気穴２８に連通する複数の開口部１４と、装置本体１０の側面との間にエアフィルタ２２取付け用のスペース１８を画成するための段差１６を有している。
【００２０】
この段差１６は、Ｌ形状ラック取付け用部品１２を段曲げ加工することにより形成される。各Ｌ形状ラック取付け用部品１２は、例えば板厚３ｍｍのステンレス鋼から形成されている。
【００２１】
Ｌ形状ラック取付け用部品１２をネジ２０で装置本体１０の側面に固定すると、装置本体１０の側面と段曲げ加工されたＬ形状ラック取付け用部品１２との間にスペース１８が形成され、このスペース１８中にエアフィルタ２２が矢印２４で示すように挿入される。図２（Ｂ）は図２（Ａ）の２Ｂ−２Ｂ線断面図を示している。
【００２２】
本実施形態によると、装置本体１０に手を加えることなく、エアフィルタ実装スペースを備えたＬ形状ラック取付け用部品１２を使用することで、装置本体１０の側面へのエアフィルタ２２の装着が可能となる。
【００２３】
これにより、エアフィルタを持たない強制空冷装置が、粉塵の多い環境下で実装されることになった場合、後付エアフィルタにより装置本来の運用保証が可能となる。
【００２４】
通常エアフィルタは、粉塵の堆積のために定期的な交換が必要である。図２に示した第１実施形態では、装置上部にエアフィルタを交換するための作業領域を空けておく必要がある。しかし、薄型のラック搭載装置が要求される現実の実装環境では、装置上部に作業領域又は保守領域を空けておくことは非現実的である。
【００２５】
現実の実装環境では、保守可能領域は装置前面及び装置背面である。背面からエアフィルタの交換を可能とする本発明第２実施形態を図３乃至図９を参照して説明する。
【００２６】
図３（Ａ）、図４及び図５に示すように、装置本体１０の両側面にはＬ形状ラック取付け用部品３０がネジ３１で固定されている。図３（Ｂ）に示すように、板厚３ｍｍのステンレス鋼から形成されたＬ形状ラック取付け用部品３０には板厚０．５ｍｍのステンレス鋼から形成されたガイド部材４２が複数箇所でスポット溶接されて結合されている。ガイド部材４２によりＬ形状ラック取付け用部品３０の上辺及び下辺に沿って一対のガイド４２ａが形成されている。
【００２７】
エアフィルタ４６が装着されたフィルタケース４４が装置本体１０の背面側からこれらのガイド４２ａに摺動可能に案内されて、Ｌ形状ラック取付け用部品３０に着脱可能に取付けられている。図４及び図５は装置本体を背面側から見た斜視図であり、図５はエアフィルタ４６を部分的に引き出した状態を示している。
【００２８】
図７はＬ形状ラック取付け用部品３０を示しており、図７（Ａ）が平面図、図７（Ｂ）がその正面図、図７（Ｃ）が図７（Ｂ）の左側面図をそれぞれ示している。
【００２９】
上述したように、板厚３ｍｍのステンレス鋼から形成されたＬ形状ラック取付け用部品３０には板厚０．５ｍｍのステンレス鋼から形成されたガイド部材４２が複数箇所でスポット溶接されて結合されている。
【００３０】
Ｌ形状ラック取付け用部品３０は装置本体１０の通気穴２８（図５参照）に連通する複数の開口部３２と、Ｌ形状ラック取付け用部品３０を装置本体１０に固定するための複数の固定用の穴３４と、Ｌ形状ラック固定用部品３５ラック４に固定するための複数の固定用の穴３６を有している。
【００３１】
Ｌ形状ラック取付け用部品３２はさらに、その一端部近傍にフィルタケース４４を規定の位置で停止させるためのストッパの機能を有する凸部３８が形成されており、その他端部にはフィルタ脱落防止用の圧縮部材４０が両面接着テープで固定されている。
【００３２】
図８はフィルタケース４４を示しており、図８（Ａ）がフィルタケース４４の平面図、図８（Ｂ）がその正面図、図８（Ｃ）がその背面図、図８（Ｄ）は図８（Ｂ）の８Ｄ−８Ｄ線断面図をそれぞれ示している。
【００３３】
フィルタケース４４は板厚０．８ｍｍのアルミニウム材料を加工して形成される。フィルタケース４４はフィルタ挿抜用の把持部４４ａと、複数の開口４８と、フィルタケース４４脱落防止のロック部５０と、ガイド４２ａに挿入される一対のレール５２と、装着されたエアフィルタ４６を抑えるための複数の爪部５４を有している。
【００３４】
図９はフィルタケース４４にエアフィルタ４６が装着された状態を示しており、複数の爪部５４によりエアフィルタ４６のフィルタケース４４からの脱落が防止されている。
【００３５】
図６を参照すると、ラック４に装置本体１０が搭載された本発明第２実施形態の横断面図を示されている。Ｌ形状ラック搭載用部品３０はその一端（右端）でネジ３１によりラック４の取付け用ブラケット６に固定されている。
【００３６】
エアフィルタ４６の装着されたフィルタケース４４は装置背面側（図６で左端側）からＬ形状ラック取付け用部品３０のガイド４２ａ中に挿入され、ガイド４２ａにより摺動案内されてＬ形状ラック取付け用部品３０に着脱可能に取付けられる。
【００３７】
フィルタケース４４がいっぱいに挿入された状態では、フィルタケース４４はＬ形状ラック取付け用部品３０のストッパ用凸部３８の位置で停止し、ロック部５０が圧縮部材４０を圧縮することにより、フィルタケース４４の脱落が防止される。
【００３８】
本実施形態によれば、フィルタケース４４に装着されたエアフィルタ４６を装置の背面側からガイドに案内されて装着可能であるため、ラックに対して複数の装置が隙間無く搭載される場合であっても、エアフィルタの装着を容易に行うことができる。
【００３９】
なお、一般のエアフィルタはスポンジ状で、そのままでは奥行きの深い装置では着脱が困難であるが、エアフィルタをフィルタケースに取付けた完成体とすることで、長めのエアフィルタであっても着脱が容易となる。
【００４０】
図１０は本発明第３実施形態の斜視図を示している。本実施形態では、エアフィルタ２２装着用のＬ形状ラック取付け用部品１２を装置本体１０の一方の側面に取付け、冷却ファン５８実装用のＬ形状ラック取付け用部品１２´を装置本体１０の他方の側面に取付ける。Ｌ形状ラック取付け用部品１２´には冷却ファン接続用電気コネクタ６０も実装されている。
【００４１】
本実施形態によれば、装置の設置環境温度が初期の設計温度を超える場合、冷却ファン５８及びファン接続用電気コネクタ６０を備えたＬ形状ラック取付け用部品１２´を使用することで、装置本体１０に手を加えることなく、熱の排気能力が向上する効果が得られる。本実施形態の場合、矢印６２方向に排気される。
【００４２】
本実施形態ではさらに、Ｌ形状ラック取付け用部品１２，１２´の取付け位置を相互に交換可能である。この場合には排気方向は矢印６４で示す方向である。
【００４３】
設置場所の顧客状況により、例えばラックの右側が壁であったりするときは、右側から吸気して左側から排気できたほうが望ましく、この逆のケースもあり得るが、本実施形態では、現地工事の場面でこうした設置条件に応じて吸排気方向を選択することが可能となる。
【００４４】
図１０に示した実施形態では、エアフィルタ２２が上側から装着されるＬ形状ラック取付け用部品１２を使用しているが、図３乃至図９を参照して詳細に説明したＬ形状ラック取付け用部品３０及びフィルタケース４４を使用することにより、エアフィルタ４６を装置本体１０の背面側から着脱可能に装着することも可能である。
【００４５】
本発明は以下の付記を含むものである。
【００４６】
（付記１）  左右一対の取付けブラケットを有するラックと、
該ラックに内在するように取付けられ、その側面に通気穴を有する装置本体と、
それぞれ前記装置本体の側面に取付けられるとともに、その一端部が前記ラックの前記取付けブラケットに着脱自在に固定される一対のＬ形状取付け部材とを備えた電子装置において、
前記各Ｌ形状取付け部材の装置本体取付け部にエアフィルタを装着するためのスペースを設け、
該スペースにエアフィルタを着脱可能に取付けたことを特徴とする電子装置。
【００４７】
（付記２）  前記各Ｌ形状取付け部材は前記エアフィルタを案内するためのガイドを有しており、
前記エアフィルタは前記装置本体の裏面側から前記ガイドに摺動可能に案内されて、前記各Ｌ形状取付け部材に着脱自在に取付けられることを特徴とする付記１記載の電子装置。
【００４８】
（付記３）  前記エアフィルタが着脱自在に装着されるフィルタケースをさらに具備し、
該フィルタケースが前記装置本体の裏面側から前記ガイドに摺動可能に案内されて、前記各Ｌ形状取付け部材に着脱自在に取付けられることを特徴とする付記２記載の電子装置。
【００４９】
（付記４）  左右一対の取付けブラケットを有するラックと、
該ラックに内在するように取付けられ、その側面に通気穴を有する装置本体と、
それぞれ前記装置本体の側面に取付けられるとともに、その一端部が前記ラックの前記取付けブラケットに着脱自在に固定される一対のＬ形状取付け部材とを備えた電子装置において、
前記一対のＬ形状取付け部材の内一方のＬ形状取付け部材の装置本体取付け部にエアフィルタを装着するためのスペースを設け、
該スペースにエアフィルタを着脱自在に取り付けるとともに、
他方の前記Ｌ形状取付け部材にファンを取付けたことを特徴とする電子装置。
【００５０】
（付記５）  前記一方のＬ形状取付け部材に前記エアフィルタを案内するためのガイドを設け、
前記エアフィルタは前記装置本体の裏面側から前記ガイドに摺動可能に案内されて、前記一方のＬ形状取付け部材に着脱可能に取付けらえることを特徴とする付記４記載の電子装置。
【００５１】
（付記６）  前記エアフィルタを着脱自在に取付けるためのフィルタケースをさらに具備し、
前記エアフィルタが装着された前記フィルタケースが、前記装置本体の裏面側から前記ガイドに摺動可能に案内されて、前記一方のＬ形状取付け部材に着脱可能に装着されることを特徴とする付記５記載の電子装置。
【００５２】
（付記７）  前記一方のＬ形状取付け部材と前記他方のＬ形状取付け部材を左右で交換して取付け、冷却空気の流れを反転可能であることを特徴とする付記４〜６の何れかに記載の電子装置。
【００５３】
【発明の効果】
本発明によると、装置本体に手を加えることなく、エアフィルタ実装スペースを備えたＬ形状ラック取付け用部品を使用することで、エアフィルタを持たない強制空冷装置が、粉塵の多い環境下でラックに実装される場合にも、装置が保証する本来の運用保証が可能となる。
【００５４】
エアフィルタを装置の背面側から実装可能な実施形態によれば、ラックに対して隙間無く複数の装置を搭載する場合であって、エアフィルタの着脱を容易に実施することができる。
【００５５】
また、装置の一方の側にエアフィルタ、他方の側に冷却用ファンを実装可能な実施形態においては、装置の設置環境温度が初期の設計温度を超える場合であっても、装置本体に手を加えることなく、冷却能力又は熱の排気能力を向上できるという効果を奏する。
【図面の簡単な説明】
【図１】本発明第１実施形態の電子装置の全体斜視図である。
【図２】図２（Ａ）は第１実施形態の斜視図、図２（Ｂ）は図２（Ａ）の２Ｂ−２Ｂ線断面図である。
【図３】図３（Ａ）は本発明第２実施形態の斜視図、図３（Ｂ）は図３（Ａ）の３Ｂ−３Ｂ線断面図である。
【図４】背面側から見た第２実施形態の斜視図である。
【図５】エアフィルタが部分的に引き出された状態の背面側から見た第２実施形態の斜視図である。
【図６】本発明第２実施形態の横断面図である。
【図７】Ｌ形状ラック取付け用部品を示す図である。
【図８】フィルタケースを示す図である。
【図９】エアフィルタの装着されたフィルタケースを示す図である。
【図１０】本発明第３実施形態の斜視図である。
【符号の説明】
２  電子装置
４  ラック
６  取付け用ブラケット
１０  装置本体
１２  Ｌ形状ラック取付け用部品
１６  段差
１８  エアフィルタ取付け用スペース
２２  エアフィルタ
３０  Ｌ形状ラック取付け用部品
４２  ガイド部材
４２ａ  ガイド
４４  フィルタケース
４６  エアフィルタ
５８  冷却ファン
【図１】
2005026266.tif 000003
【図２】
2005026266.tif 000004
【図３】
2005026266.tif 000005
【図４】
2005026266.tif 000006
【図５】
2005026266.tif 000007
【図６】
2005026266.tif 000008
【図７】
2005026266.tif 000009
【図８】
2005026266.tif 000010
【図９】
2005026266.tif 000011
【図１０】
2005026266.tif 000012